(57)【要約】【課題】本発明は、手ぶれの影響のない静止画像を簡易な構成で取得し得る携帯型電子機器を実現できる。【解決手段】本発明は、カメラ付携帯電話機２とは分離された状態で使用されるリモコン部１４に、当該カメラ付携帯電話機２の動作状態に応じた通話処理命令又は撮像命令を入力できる兼用スイッチ１９を設けるようにしたことにより、撮像モード時にカメラ付携帯電話機２のシャッターキー１０Ａを直接押下操作させることなく、当該兼用スイッチ１８を介して撮像命令を入力できるので、カメラ付携帯電話機２に一体となって設けられたＣＣＤカメラ２２に対する手ぶれを簡易な構成で防止でき、かくして手ぶれの影響がない静止画像を簡易な構成で取得し得る。【選択図】        図１
2004274511.tif 000002
【特許請求の範囲】
【請求項１】
外部からの撮像命令に従って静止画像を取得する撮像手段と一体になって設けられた本体部と、
上記撮像手段に対する上記撮像命令を入力するための撮像命令入力手段と、上記本体部に対する所定の信号処理命令を入力するための信号処理命令入力手段とを兼用し、上記本体部とは分離された状態で当該本体部と有線又は無線で電気的に接続され上記本体部を操作する遠隔操作部と
を具えた携帯型電子機器。
【請求項２】
上記本体部は、上記遠隔操作部によって入力された命令が上記撮像命令又は上記信号処理命令のいずれかであるかを検出する命令検出手段を有し、上記撮像命令であることを検出したとき上記静止画像を取得する
ことを特徴とする請求項１に記載の携帯型電子機器。
【請求項３】
上記本体部は、携帯電話機の本体であり、
上記遠隔操作部は、上記携帯電話機に対して着脱自在に取り付けられたリモートコントローラ付イヤホンマイクである
ことを特徴とする請求項１に記載の携帯型電子機器。
【請求項４】
外部からの撮像命令に従って静止画像を取得する撮像手段と本体部とが一体となって設けられた携帯型電子機器の静止画像取得方法において、
上記撮像命令を入力するための撮像命令入力手段と、上記本体部に対して所定の信号処理命令を入力するための信号処理命令入力手段とを兼用し、かつ上記本体部とは分離された状態で当該本体部と有線又は無線で電気的に接続された遠隔操作部を介して上記撮像手段に対する上記撮像命令又は上記本体部に対する上記信号処理命令を入力する命令入力ステップと、
上記命令入力ステップで入力された命令が上記撮像命令又は上記信号処理命令のいずれかであるかを検出する命令検出ステップと、
上記命令検出ステップで検出した上記撮像命令又は上記信号処理命令に応じて上記本体部における静止画像取得処理又は所定の信号処理を切り換える制御ステップと
を具えることを特徴とする携帯型電子機器の静止画像取得方法。
【請求項５】
上記本体部は、携帯電話機の本体であり、
上記遠隔操作部は、上記携帯電話機に対して着脱自在に取り付けられたリモートコントローラ付イヤホンマイクである
ことを特徴とする請求項４に記載の携帯型電子機器の静止画像取得方法。
【発明の詳細な説明】
【０００１】
【発明の属する技術分野】
本発明は携帯型電子機器に関し、例えばカメラ付携帯電話機に適用して好適なものである。
【０００２】
【従来の技術】
近年、携帯電話機における筺体の所定位置にＣＣＤ（Ｃｈａｒｇｅ  Ｃｏｕｐｌｅｄ  Ｄｅｖｉｃｅ）カメラを備えたカメラ付携帯電話機が普及している（例えば、特許文献１参照）。
【０００３】
このようなカメラ付携帯電話機においては、ユーザによって筺体が片手で保持され、ＣＣＤカメラが撮像対象に対して向けられた状態で当該筺体を保持している手の指で筺体の所定位置に設けられたシャッターキーが押下されることにより撮像対象の静止画像を取得するようになされている。
【０００４】
【特許文献１】
特開２００１−３２０４６３公報（図１）
【０００５】
【発明が解決しようとする課題】
ところがかかる構成のカメラ付携帯電話機においては、筺体を保持している手の指でシャッターキーが押下される際、当該シャッターキーを押下する際の力が筺体に直接与えれることになって当該筺体がぶれ、結果的に手ぶれの生じた静止画像を取り込んでしまうことになるという問題があった。
【０００６】
本発明は以上の点を考慮してなされたもので、手ぶれの影響がない静止画像を簡易な構成で取得し得る携帯型電子機器を提案しようとするものである。
【０００７】
【課題を解決するための手段】
かかる課題を解決するため本発明においては、外部からの撮像命令に従って静止画像を取得する撮像手段が一体となって設けられた本体部と、当該撮像手段に対する撮像命令を入力するための撮像命令入力手段及び本体部に対する所定の信号処理命令を入力するための信号処理命令入力手段を兼用し、本体部とは分離された状態で当該本体部と有線又は無線で電気的に接続され上記本体部を操作する遠隔操作部とを設けるようにした。
【０００８】
従って、本体部が直接押下操作されることなく、撮像命令入力手段及び信号処理命令入力手段を兼用させた遠隔操作部を介して撮像命令が入力されることになるので、本体部と一体になって設けられた撮像手段に対する手ぶれを簡易な構成で防止できる。
【０００９】
【発明の実施の形態】
以下図面について、本発明の一実施の形態を詳述する。
【００１０】
図１において、１は全体として本発明の携帯型電子機器としてのイヤホンマイク付携帯電話機を示し、カメラ付携帯電話機２と、当該カメラ付携帯電話機２に対して着脱自在に取り付けられたリモートコントローラ（以下、これをリモコンと呼ぶ）付イヤホンマイク３とによって構成されている。
【００１１】
カメラ付携帯電話機２は、第１の筺体（以下、これを上側筺体と呼ぶ）４と第２の筺体（以下、これを下側筺体と呼ぶ）５とがヒンジ部６を介して折り畳み可能に形成されている。
【００１２】
上側筺体４の正面には、上側中央部にスピーカ７が設けられていると共に、当該スピーカ７の下側に例えばＬＣＤ（Ｌｉｑｕｉｄ  Ｃｒｙｓｔａｌ  Ｄｉｓｐｌａｙ）でなる正面表示部８が設けられている。
【００１３】
一方、下側筐体５には、正面下部にマイクロホン９が設けられていると共に、正面中央部にシャッターキー１０Ａ等の各種操作キーで構成された操作部１０が設けられており、当該操作部１０の操作に応じて正面表示部８上で項目選択や発呼処理、終話処理、着信処理、静止画像取得処理等の種々の処理を実行し得るようになされている。
【００１４】
そして下側筺体５の右側側面には、リモコン付イヤホンマイク３が取り付けられるためのリモコンジャック１１が設けられており、当該リモコンジャック１１にリモコンプラグ１３が挿着されることによりリモコン付イヤホンマイク３が取り付けられるようになされている。
【００１５】
下側筺体５は、リモコン付イヤホンマイク３が取り付けられると、カメラ付携帯電話機２の内部電源部からの電源電圧をリモコンケーブル１３を介してリモコン部１４に供給すると共に、当該カメラ付携帯電話機２の回路基板からの着信信号及び音声信号をリモコンケーブル１３及びイヤホンケーブル１５を介してイヤホン１６に出力する。
【００１６】
ここで遠隔操作部としてのリモコン部１４は、ほぼ円柱形状でなりその内部に各種回路が内蔵されている。
【００１７】
リモコン部１４には、その正面下部にリモコン側マイクロホン１８が設けられていると共に、当該リモコン側マイクロホン１８の上側中央部に兼用スイッチ１９が設けられており、通常の電話としての機能を実現する通話モードのときに当該兼用スイッチ１９が押下されると、自動的に発呼処理や終話処理、着信処理（以下、これらをまとめて通話処理と呼ぶ）を実行し、静止画像を撮像するスチルカメラとしての機能を実現する撮像モードのときに兼用スイッチ１９が押下されると、静止画像取得処理を実行するようになされている。
【００１８】
因みにリモコン部１４においては、その背面の所定位置にクリップ金具２０が設けられており、例えば上着の胸ポケットに挟まれた状態で使用され得るようになされている。
【００１９】
そして図２に示すように、下側筺体５の背面には、その上側右部に送受信用のアンテナ２１が取り付けられている。
【００２０】
また上側筺体４の背面上部には、撮像手段としてのＣＣＤカメラ２２が一体となって設けられていると共に、当該ＣＣＤカメラ２２の下側中央部には例えばＬＣＤでなる背面表示部２３が設けられており、撮像モード時、ユーザによって選択された正面表示部８又は背面表示部２３に対してＣＣＤカメラ２２を介して撮像されている撮像画像を表示させ続ける。
【００２１】
かかる構成に加えてイヤホンマイク付携帯電話機１では、この状態でリモコン部１４の兼用スイッチ１９が押下されると、静止画像取得処理を実行することによりその時点の撮像画像を静止画像として取得し、当該取得した静止画像を正面表示部８又は背面表示部２３に表示するようになされている。
【００２２】
因みにイヤホンマイク付携帯電話機１では、操作部１０（図１）のシャッターキー１０Ａが押下された場合であっても静止画像取得処理を実行し、ＣＣＤカメラ２２を介して静止画像を取得し得るようになされている。
【００２３】
このようなイヤホンマイク付携帯電話機１においては、図３に示すように、カメラ付携帯電話機２のリモコンジャック１１と、リモコン付イヤホンマイク３のリモコンプラグ１２とが電気的に接続されており、カメラ付携帯電話機２とリモコン付イヤホンマイク３との間で各種情報の授受を行うようになされている。
【００２４】
ここでカメラ付携帯電話機２は、制御部３０にリモコンジャック１１、スピーカ７、マイクロホン９、正面表示部８、操作部１０、ＣＣＤカメラ２２、背面表示部２３及び通信処理部３１が接続されていると共に、当該通信処理部３１にアンテナ２１が接続されている。
【００２５】
この場合、制御部３０は、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｐｒｏｃｅｓｓｉｎｇ）、予め基本プログラム及び兼用スイッチ判別処理プログラム等の各種プログラムが格納されたＲＯＭ（Ｒｅａｄ  Ｏｎｌｙ  Ｍｅｍｏｒｙ）や検出回路３２等で構成されており、各種命令に応じてＲＯＭに格納された各種プログラムを適宜ＲＡＭに読み出すことにより所定の処理を実行する。
【００２６】
例えば制御部３０は、通話モード時、リモコン部１４の兼用スイッチ１９が押下されると、これに応じて通話処理を実行し通話相手の電話機との間で通話状態を確保する。
【００２７】
このとき制御部３０は、マイクロホン９又はリモコン側マイクロホン１８を介して集音した音声データに通信処理部３１によって所定の変調処理を施すことにより送信信号を生成し、これをアンテナ２１を介して送信する。
【００２８】
また制御部３０は、アンテナ２１を介して受信した受信信号に対して通信処理部３１により所定の復調処理を施し、その結果得られた音声信号をスピーカ７又はイヤホン１６を介して出力する。
【００２９】
これに加えて制御部３０は、操作部１０に対する操作に応じて通話モードからＣＣＤカメラ２２による撮像モードへ移行した後、リモコン部１４の兼用スイッチ１９が押下されると、これに応じてＣＣＤカメラ２２により静止画像を撮像し、当該撮像した静止画像をＲＡＭに一旦取り込むと共に、正面表示部８又は背面表示部２３のいずれかに表示する。
【００３０】
ところでカメラ付携帯電話機２では、兼用スイッチ１９が押下されずに開いていると、接点ＰとアースＧとの電気的な接続が当該兼用スイッチ１９によって遮断されることにより電源部３３から供給される電流がアースＧに流れず、接点Ｐの電圧値が一定に保持される。
【００３１】
これに対してカメラ付携帯電話機２では、兼用スイッチ１９が押下されることにより当該兼用スイッチ１９が閉じられると、接点ＰとアースＧとが兼用スイッチ１９を介して電気的に接続されることにより電源部３３から供給される電流が接点Ｐ、リモコンジャック１１、リモコンプラグ１２及び兼用スイッチ１９を順次介してアースＧに流れ、当該接点Ｐにおいて一定に保持されていた電圧値が降下する。
【００３２】
ここで検出回路３２は、兼用スイッチ１９の押下に応じて生じる接点Ｐの電圧値の変化を検出し得るようになされている。
【００３３】
そして命令検出手段としての制御部３０は、検出回路３２における電圧値の検出結果を常時監視しており、当該電圧値の変化に基づいて兼用スイッチ１９が押下されたか否かを検出し得るようになされている。
【００３４】
これにより制御部３０は、検出回路３２の検出結果に基づいて、兼用スイッチ１９が押下されたことを検出すると、カメラ付携帯電話機２で現在選択されている通話モード又は撮像モードに応じた通話処理又は静止画像取得処理を実行するようになされている。
【００３５】
実際上、カメラ付携帯電話機２は電源が投入されると、兼用スイッチ判別処理プログラムに従って図４に示すようにルーチンＲＴ１の開始ステップから入ってステップＳＰ１へ移る。ステップＳＰ１において制御部３０は、検出回路３２により、接点Ｐにおける電圧値の降下を検出したか否かを判断する。
【００３６】
ここで否定結果が得られると、このことは兼用スイッチ１９が押下されていないことを表しており、このとき制御部３０は、再びステップＳＰ１へ戻る。
【００３７】
これに対してステップＳＰ１で肯定結果が得られると、このことは兼用スイッチ１９が押下されたことを表しており、このとき制御部３０は、次のステップＳＰ２へ移る。
【００３８】
ステップＳＰ２において制御部３０は、カメラ付携帯電話機２が現在通話モードであるか、或いは撮像モードであるかのモード判別処理を実行し、次のステップＳＰ３へ移る。
【００３９】
ステップＳＰ３において制御部３０は、ステップＳＰ２の判別結果が撮像モードであるか否かを判断する。
【００４０】
ステップＳＰ３で否定結果が得られると、このことはカメラ付携帯電話機２が現在通話モードであること、すなわちユーザがカメラ付携帯電話機２を通常の電話機として機能させていることを表しており、このとき制御部３０は、次のステップＳＰ４へ移る。
【００４１】
ステップＳＰ４において制御部３０は、兼用スイッチ１９の押下によって入力された命令を通話処理命令として検出し、当該通話処理命令に基づいて通話処理を実行し得るようになされている。
【００４２】
これに対してステップＳＰ３で肯定結果が得られると、このことはカメラ付携帯電話機２が現在撮像モードであること、すなわちユーザがカメラ付携帯電話機２をスチルカメラのように機能させていることを表しており、このとき制御部３０は、次のステップＳＰ５へ移る。
【００４３】
ステップＳＰ５において制御部３０は、兼用スイッチ１９の押下によって入力された命令を撮像命令として検出し、当該撮像命令に基づいてＣＣＤカメラ２２により静止画像取得処理を実行することにより静止画像を取得し得るようになされている。
【００４４】
以上の構成において、イヤホンマイク付携帯電話機１では、撮像モード時、カメラ付携帯電話機２とは分離された状態で当該カメラ付携帯電話機２と有線（この場合、リモコンケーブル１３）を介して電気的に接続されたリモコン部１４における兼用スイッチ１９を介して撮像命令を入力できるようにした。
【００４５】
従ってイヤホンマイク付携帯電話機１では、カメラ付携帯電話機２を保持させている手の指でシャッターキー１０Ａを直接押下操作させることなく、リモコン部１４の兼用スイッチ１９で撮像命令を入力させることができるので、カメラ付携帯電話機２と一体になって設けられたＣＣＤカメラ２２に対する手ぶれを防止でき、かくして手ぶれの影響がない静止画像を確実に取得できる。
【００４６】
またイヤホンマイク付携帯電話機１では、兼用スイッチ１９が押下されると、当該押下された際のカメラ付携帯電話機２での動作状態（すなわち通話モード又は撮像モード）に応じた通話処理命令又は撮像命令が入力され、当該通話処理命令又は撮像命令に基づいて動作状態に応じた処理を実行するようにした。
【００４７】
従ってユーザはリモコン部１４の兼用スイッチ１９を押下しさえすれば動作状態に応じたユーザ所望の処理をカメラ付携帯電話機２で容易に実行させることができる。
【００４８】
さらにイヤホンマイク付携帯電話機１では、通話モード又は撮像モードに応じた通話処理命令又は撮像命令を兼用スイッチ１９の押下によって入力させるようにしたことにより、通話処理命令及び撮像命令を入力させるための専用スイッチをリモコン部１４にそれぞれ個別に設ける必要がなく、当該リモコン部１４におけるスイッチの数を減らすことができ、かくしてリモコン部１４を簡易な構成にできると共に小型化できる。
【００４９】
以上の構成によれば、カメラ付携帯電話機２とは分離された状態で使用されるリモコン部１４に、当該カメラ付携帯電話機２の動作状態に応じた通話処理命令又は撮像命令を入力できる兼用スイッチ１９を設けるようにしたことにより、撮像モード時にカメラ付携帯電話機２のシャッターキー１０Ａを直接押下操作させることなく、当該兼用スイッチ１９を介して撮像命令を入力させることができるので、カメラ付携帯電話機２と一体になって設けられたＣＣＤカメラ２２に対する手ぶれを簡易な構成で防止でき、かくして手ぶれの影響がない静止画像を簡易な構成で取得し得る。
【００５０】
なお上述の実施の形態においては、兼用スイッチ１９の押下によって撮像命令が入力されると、これに応じて静止画像取得処理を実行し静止画像を取得するようにした場合について述べたが、本発明はこれに限らず、兼用スイッチ１９の押下によって撮像命令が入力されると、予め任意に設定された所定時間経過後に静止画像取得処理を実行し静止画像を取得するようにしても良く、この場合、カメラ付携帯電話機２においては、兼用スイッチ１９が押下されてからユーザ所望のタイミングで静止画像を取得できる。
【００５１】
また上述の実施の形態においては、撮像モード時に兼用スイッチ１９に加えてカメラ付携帯電話機２のシャッターキー１０Ａが押下されても静止画像を取得できるようにした場合について述べたが、本発明はこれに限らず、撮像モード時に兼用スイッチ１９が押下されたときにだけ静止画像を取得できるようにしても良い。
【００５２】
この場合、イヤホンマイク付携帯電話機１では、操作部１０を介した設定や、リモコン付イヤホンマイク３がカメラ付携帯電話機２に挿着されたことに応じて制御部３０が操作部１０を制御し、シャッターキー１０Ａが押下されても静止画像を取得し得ないようにすれば、カメラ付携帯電話機２が保持されている手で誤ってシャッターキー１０Ａが押下されても静止画像は取得されず、このためユーザに対してシャッターキー１０Ａを気にさせずにカメラ付携帯電話機２を自由に保持させることができる。
【００５３】
さらに上述の実施の形態においては、所定の信号処理命令として通話処理命令を適用するようにした場合について述べたが、本発明はこれに限らず、映像や音声の記録再生等その他種々の信号処理命令を適用するようにしても良い。
【００５４】
また兼用スイッチ１９を介して入力できる命令としては、例えば兼用スイッチ１９が長押しされることにより通話モードから撮像モードに切り換えたり、或いは撮像モードから通話モードに切り換えることができるようなモード切換命令であっても良く、この場合、ユーザに対して兼用スイッチ１９により通話モード及び撮像モードの切り換えを自由に行わせることができると共に、通話モードから撮像モードに切り換えられた際にＣＣＤカメラ２２によって容易に手ぶれの影響がない静止画像を取得できる。
【００５５】
さらに上述の実施の形態においては、通話処理命令及び撮像命令の２つの命令を兼用スイッチ１９を介して入力できるようにした場合について述べたが、本発明はこれに限らず、通話処理命令及び撮像命令に加えて、例えばＣＣＤカメラ２２のズーム倍率を変更させるズーム倍率変更命令等の３つ以上の複数の命令を兼用スイッチ１９を介して入力できるようにしても良い。
【００５６】
さらに上述の実施の形態においては、撮像手段と一体になって設けられた本体部として、ＣＣＤカメラ２２と一体になって設けられたカメラ付携帯電話機２を適用するようにした場合について述べたが、本発明はこれに限らず、ＣＣＤカメラと一体になって設けられたＰＨＳ（Ｐｅｒｓｏｎａｌ  Ｈａｎｄｙ−ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｃｅ）、携帯型音楽再生装置等その他種々の本体部を適用するようにしても良い。
【００５７】
さらに上述の実施の形態においては、リモコン部１４をリモコンケーブル１３を介してカメラ付携帯電話機２と電気的に接続させるようにした場合について述べたが、本発明はこれに限らず、リモコン部１４を例えば赤外線やＢｌｕｅｔｏｏｔｈ（登録商標）等の無線通信手段を介してカメラ付携帯電話機２と電気的に接続させるようにしても良い。
【００５８】
さらに上述の実施の形態においては、信号処理として通話モード時における通話処理を適用するようにした場合について述べたが、本発明はこれに限らず、音楽再生処理、電子メールやインターネット等のネットワーク通信処理等その他種々の信号処理を適用するようにしても良い。
【００５９】
さらに上述の実施の形態においては、撮像命令入力手段及び信号処理命令入力手段として、機械的な兼用スイッチ１９を適用するようにした場合について述べたが、本発明はこれに限らず、兼用スイッチの押下に応じて動作する電磁開閉スイッチや光電スイッチ等のような電気的なスイッチを適用するようにしても良い。
【００６０】
【発明の効果】
上述のように本発明によれば、本体部が直接押下操作されることなく、撮像命令入力手段及び信号処理命令入力手段を兼用させた本体部を操作する遠隔操作部を介して撮像命令が入力されることになるので、本体部と一体になって設けられた撮像手段に対する手ぶれを簡易な構成で防止でき、かくして手ぶれの影響のない静止画像を簡易な構成で取得し得る携帯型電子機器を実現できる。
【図面の簡単な説明】
【図１】本発明によるイヤホンマイク付携帯電話機の外観構成（１）を示す略線的斜視図である。
【図２】本発明によるイヤホンマイク付携帯電話機の外観構成（２）を示す略線的斜視図である。
【図３】イヤホンマイク付携帯電話機の回路構成を示すブロック図である。
【図４】兼用スイッチ判別処理手順を示すフローチャートである。
【符号の説明】
１……イヤホンマイク付携帯電話機、２……カメラ付携帯電話機、３……リモコン付イヤホンマイク、１０……操作部、１３……リモコンケーブル、１４……リモコン部、１６……イヤホン、１８……リモコン側マイクロホン、１９……兼用スイッチ、２２……ＣＣＤカメラ、３０……制御部、３２……検出回路。
【図１】
2004274511.tif 000003
【図２】
2004274511.tif 000004
【図３】
2004274511.tif 000005
【図４】
2004274511.tif 000006